(57)【要約】【課題】  施工の手間を軽減し、また、屋根材の外観を損なうことがなく、さらに、高級感を発現させることができる屋根材の施工構造を提供する。【解決手段】  複数枚の屋根材１を屋根下地２に敷設して形成される屋根材１の施工構造に関する。最も軒側に敷設される屋根材１ａと屋根下地２との間にスタータ部材３を設ける。最も軒側に敷設される屋根材１ａの軒側端面４とスタータ部材３の軒側端面５と略面一に合致させる。スタータ部材３に広小舞と面戸の機能を付加することができる。厚物の屋根材１を施工したような外観となる。屋根材１とスタータ部材３とを別々に形成することにより、屋根材１の表面にシワなどの成形不良が発生しにくくなる。【選択図】図１
2010196409.tif 000002
【特許請求の範囲】
【請求項１】
複数枚の屋根材を屋根下地に敷設して形成される屋根材の施工構造において、最も軒側に敷設される屋根材と屋根下地との間にスタータ部材を設けると共に、最も軒側に敷設される屋根材の軒側端面とスタータ部材の軒側端面と略面一に合致させて成ることを特徴とする屋根材の施工構造。
【発明の詳細な説明】
【技術分野】
【０００１】
本発明は、複数枚の屋根材を屋根下地に敷設して形成される屋根材の施工構造に関するものである。
【背景技術】
【０００２】
従来より、複数枚の屋根材を野地等の屋根下地の上に敷設して屋根を形成することが行われているが、厚型瓦などの厚物の屋根材の場合、最も軒側に位置する一段目の屋根材は広小舞などの部材を屋根下地の軒先に取り付けてから施工するようにしている。広小舞は、各段の屋根材を少しずつ下段の屋根材と重ねてラップさせるため、施工のスタート時に敷設される最も軒側に位置する一段目の屋根材の勾配を調整するために設けられるものである。また、屋根材が和型や波形の場合、軒先部において、屋根材の裏面と屋根下地もしくは広小舞との間に隙間が生じることがあり、この隙間に鳥やコウモリなどが入り込んで巣を作り、糞害を生じるおそれがあった。そこで、面戸や漆喰などで上記の隙間を埋める必要があった。図５（ａ）（ｂ）は従来の屋根の軒構造を示すものであり、屋根下地５０の上にＺ型の軒先水切り５１を設け、その上に広小舞５２を取り付けると共に広小舞５２の上に軒先面戸５３を配設し、さらに軒先面戸５３の上に屋根材５４の軒側端部が載置されるものである。このように施工手順としては、軒先水切り５１、広小舞５２、軒先面戸５３となり、施工工程が多いために施工に時間がかかるという問題があった。そこで、特許文献１の発明では、図６（ａ）（ｂ）に示すように、屋根材５４の裏面に鳥よけのための軒面戸５５を一体に形成している。
【先行技術文献】
【特許文献】
【０００３】
【特許文献１】特開平１１−６２１１３号公報
【発明の概要】
【発明が解決しようとする課題】
【０００４】
しかし、この軒面戸５５には広小舞の機能がないため、別途、広小舞５２を敷設する必要があり、また、軒面戸５５を一体に成形することにより、窯業系屋根材のプレス成形による特性上、軒面戸５５の高さ寸法が大きい場合などでは、その位置において屋根材５４の表面にシワが発生しやすく、外観を損なうおそれがあった。さらに、屋根材５４の軒側端部と屋根下地５０との間に大きな隙間が目立って形成されてしまうため、高級感が少ないという問題があった。
【０００５】
本発明は上記の点に鑑みてなされたものであり、施工の手間を軽減し、また、屋根材の外観を損なうことがなく、さらに、高級感を発現させることができる屋根材の施工構造を提供することを目的とするものである。
【課題を解決するための手段】
【０００６】
本発明の請求項１に係る屋根材の施工構造は、複数枚の屋根材１を屋根下地２に敷設して形成される屋根材１の施工構造において、最も軒側に敷設される屋根材１ａと屋根下地２との間にスタータ部材３を設けると共に、最も軒側に敷設される屋根材１ａの軒側端面４とスタータ部材３の軒側端面５と略面一に合致させて成ることを特徴とするものである。
【発明の効果】
【０００７】
本発明では、スタータ部材３に広小舞と面戸の機能を付加することができ、広小舞と面戸とを不要にして部品点数の減少により、施工性を高めることができるものである。また、最も軒側に敷設される屋根材１ａの軒側端面４とスタータ部材３の軒側端面５と略面一に合致させることにより、厚物の屋根材１を施工したような外観となり、高級感を付与することができるものである。さらに、屋根材１とスタータ部材３とを別々に形成することにより、屋根材１の表面にシワなどの成形不良が発生しにくくなり、外観の低下を防止することができるものである。
【図面の簡単な説明】
【０００８】
【図１】本発明の実施の形態の一例を示す断面図である。
【図２】（ａ）は同上の屋根材の一例を示す斜視図、（ｂ）は同上のスタータ部材を示す斜視図である。
【図３】同上の分離前のスタータ部材を示し、（ａ）は平面図、（ｂ）は正面図、（ｃ）は裏面図、（ｄ）は上方斜視図、（ｅ）は側面図、（ｆ）は下方斜視図である。
【図４】同上の概略の斜視図である。
【図５】従来例を示し、（ａ）は断面図、（ｂ）は施工途中の斜視図である。
【図６】他の従来例を示し、（ａ）は屋根材の裏面斜視図、（ｂ）は施工状態の断面図である。
【発明を実施するための形態】
【０００９】
以下、本発明を実施するための最良の形態を説明する。
【００１０】
本発明は、複数枚の屋根材１、１…とスタータ部材３とを屋根下地２に施工することにより形成することができる。
【００１１】
屋根材１としてはセメントなどの水硬性材料を主成分とする窯業系のものを使用することができるが、これに限定されるものではない。また、図２（ａ）に示すように、屋根材１は上側に凹曲した一対の凹曲部１０、１０を横方向に連設して形成されている。また、屋根材１の棟側端部及び両側端部には釘打ち固定部１１が設けられている。さらに、図１のように、屋根材１の軒側端部の裏面には横方向に長い軒側脚部１２が突設されていると共に屋根材１の棟側端部の裏面には横方向に長い棟側脚部１３が突設されている。
【００１２】
スタータ部材３は屋根材１と同様の材料で形成された窯業系のものを用いることができる。また、図２（ｂ）に示すように、スタータ部材３は上側に凹曲した一対の載置凹部１４、１４を横方向に連設して形成されている。また、スタータ部材３の棟側端部には釘打ち固定部１５が設けられている。さらに、スタータ部材３の裏面には、軒棟方向の略中央部において、横方向に長い中央支持脚部１６が設けられており、スタータ部材３の軒側端面５の下端は中央支持脚部１６の下端と略同等の高さ位置に形成されている。また、図３（ｃ）（ｅ）に示すように、スタータ部材３の裏面には、棟側端部において、中央支持脚部１６よりも高さ寸法の短い棟側支持脚部１７が設けられている。なお、中央支持脚部１６と棟側支持脚部１７の下端には切欠き１９ａ、１９ｂが形成されており、施工状態において屋根下地２との間に隙間を形成して水抜き孔や通気口として効果を発揮する。また、棟側支持脚部１７の切欠き１９ｂよりも中央支持脚部１６の切欠き１９ａを幅狭に形成して、強風時の雨水の吹き込みを抑制できるようにしている。更に、棟側支持脚部１７の切欠き１９ｂと中央支持脚部１６の切欠き１９ａとは軒棟方向に僅かに通る位置に形成されており、これにより、切欠き１９ａと切欠き１９ｂとを軒棟方向で完全には重ならないようにして、ややずらした位置に形成し、強風時の雨水の吹き込みを抑制するとともに水抜きにも支障が生じ難いようにしている。
【００１３】
尚、スタータ部材３の製造時においては、図３（ａ）〜（ｆ）に示すように、一対のスタータ部材３、３が連なった状態で成形されるものである。この一対のスタータ部材３、３は、棟側端部同士が接合した状態で一体化されており、また、一対のスタータ部材３、３の間にはＶ溝状の割溝１８が設けられている。そして、施工現場等でハンマー等を用いて割溝１８の部分を軽く叩くことにより一つずつのスタータ部材３に分割して使用するものである。
【００１４】
そして、本発明の屋根材１の施工構造は以下のようにして形成することができる。まず、屋根下地２の軒側端部にＺ型などの軒先水切り２０を突出して取り付ける。ここで、屋根下地２としては、垂木２１の上に合板などの野地板２２を配設し、野地板２２の上にアスファルトルーフィングなどの防水シートを敷設して形成されるものを例示することができる。尚、図１中の符号２３は鼻隠し板である。
【００１５】
次に、屋根下地２の軒側端部にスタータ部材３を載置する。このとき、屋根下地２の軒側先端にスタータ部材３の中央支持脚部１６の軒側側面を一致させるようにして複数個のスタータ部材３を屋根下地２の横方向（軒棟方向（屋根勾配の方向）と直交する方向）に並べて配設し、釘打ち固定部１５の箇所に釘２９を打ち込んで屋根下地２に固定する。このように施工することで、スタータ部材３は中央支持脚部１６と棟側支持脚部１７とを屋根下地２に載置し、中央支持脚部１６よりも先端部分を屋根下地２の軒側端面から外側（軒先側）に所定長さ突出させて固定することが容易にできるものである。なお、スタータ部材３の中央支持脚部１６のより位置決めする際の基準としては、屋根下地２の軒先先端だけでなく、軒先水切り５１上に設けられる位置決めマークや野地上に付される罫書き線などを採用することもできるものである。
【００１６】
次に、最も軒側に位置する屋根材１ａを敷設する。この場合、屋根材１ａの軒側略半分（側端部の釘打ち固定部１１よりも軒側）の凹曲部１０を上記のスタータ部材３の載置凹部１４の上に載置し、屋根材１ａの棟側脚部１３は屋根下地２の上に載置する。また、スタータ部材３の軒側端面５と屋根材１ａの軒側端面４とを略面一になるように合致させる。さらに、スタータ部材３の軒側端面５の上端と、屋根材１の軒側端面４の下端とを同一形状とすることで、スタータ部材３の軒側端面５の上端と屋根材１ａの軒側端面４の下端とを隙間なく密着させることができ、スタータ部材３と屋根材１ａとの間から雨水が浸入するのを抑制できるとともに、軒先に厚み感を付与して意匠性を向上することができる。なお、スタータ部材３の軒側端面５は前垂れ状に垂下形成されており、その下端は施工状態において略水平直線形状で、軒先で略一直線に揃うようになり、スッキリとした軒先の収まりとなるものである。この後、釘打ち固定部１１の箇所に釘３０を打ち込んで屋根材１ａを屋根下地２に固定する。このようにして複数枚の屋根材１ａを屋根下地２の軒側端部の横方向に敷設することができる。
【００１７】
次に、最も軒側に位置する屋根材１ａの棟側に複数枚の屋根材１を順次敷設する。この場合、軒棟方向に隣接する屋根材１、１は、軒側の屋根材１の棟側端部の上に、棟側の屋根材１の軒側端部を載置して重ね合わせるようにする。また、軒棟方向と直交する方向に隣接する屋根材１、１は側端部同士を重ね合わせるようにする。このようにして複数枚の屋根材１を屋根下地２の上に縦横に敷設することによって、図１、４に示すような屋根を形成することができるものである。
【００１８】
本発明では、広小舞の代わりにスタータ部材３を用いて、最も軒側に敷設される屋根材１ａの勾配を調整すると共に、面戸を用いずに、最も軒側に敷設される屋根材１ａとスタータ部材３との間に隙間が形成されないように密着することができ、広小舞と面戸の一体化により施工の手間を軽減することができるものである。また、スタータ部材３は屋根材１と別体に形成されているため、屋根材１の成形時にシワなどの成形不良が生じにくくなり、屋根材１の外観低下を防止することができるものである。さらに、最も軒側に敷設される屋根材１ａの軒側端面４とスタータ部材３の軒側端面５と略面一に合致させることにより、厚物の屋根材１を施工したような外観となり、高級感を付与することができるものである。
【符号の説明】
【００１９】
１  屋根材
１ａ  屋根材
２  屋根下地
３  スタータ部材
４  軒側端面
５  軒側端面
【図１】
2010196409.tif 000003
【図２】
2010196409.tif 000004
【図３】
2010196409.tif 000005
【図４】
2010196409.tif 000006
【図５】
2010196409.tif 000007
【図６】
2010196409.tif 000008